(57)【要約】【課題】ファンアウト領域内の配線抵抗の偏差を補正する。【解決手段】絶縁基板上に形成されており、外部回路との連結のためのパッドを含むゲート線と、ゲート線と絶縁して交差しており外部回路との連結のためのパッドを含むデータ線と、ゲートパッドと連結されているゲート駆動回路と、データパッドと連結されているデータ駆動回路とを含む。ゲート駆動回路とデータ駆動回路のうちの少なくとも一つは出力端子各々に連結されている補正用抵抗を含む。補正用抵抗は、これと連結されるゲート線またはデータ線の長さ偏差を補正できる抵抗値を有する。このようにすれば、配線の長さの変化に応じた抵抗値の偏差を補償して均一化し、画質を向上させることができる。【選択図】　　　図３
2004070317.tif 000002
【特許請求の範囲】
【請求項１】
絶縁基板と、
前記絶縁基板上に形成されており、外部回路との連結のためのパッドを含むゲート線と、
前記ゲート線と絶縁して交差しており、外部回路との連結のためのパッドを含むデータ線と、
前記ゲートパッドと連結されているゲート駆動回路と、
前記データパッドと連結されているデータ駆動回路とを含み、
前記ゲート駆動回路と前記データ駆動回路のうちの少なくとも一つは出力端子各々に連結されている補正用抵抗を含んでおり、前記補正用抵抗のそれぞれが、ファンアウト領域において、これと連結されるゲート線の抵抗値と最大ゲート線抵抗との差、または、これと連結されるデータ線の抵抗値と最大データ線抵抗との差、に相当する抵抗値を有することを特徴とする液晶表示装置。
【請求項２】
前記駆動集積回路の両端の出力端子と連結される前記補正用抵抗が最も小さい値を有し、中央側に行くほど前記補正用抵抗の抵抗値が次第に大きくなる、請求項１に記載の液晶表示装置。
【請求項３】
前記ゲート駆動回路及び前記データ駆動回路が、出力端子各々に連結されている前記補正用抵抗を含んでいる、請求項１に記載の液晶表示装置。
【請求項４】
前記ゲートパッドと接触する補助ゲートパッドと、
前記ゲート駆動集積回路を実装するフィルムと、
前記フィルムに形成されており、前記ゲート駆動集積回路の出力端子に連結されており、引出線パッドを有する引出線とをさらに含み、
前記補助ゲートパッドは、前記引出線パッドと電気的に接続して前記ゲート駆動集積回路と前記ゲート線とを連結する、請求項３に記載の液晶表示装置。
【請求項５】
前記データパッドと接触する補助データパッドと、
前記データ駆動集積回路を実装するフィルムと、
前記フィルムに形成されており、前記データ駆動集積回路の出力端子に連結されており、引出線パッドを有する引出線とをさらに含み、
前記補助データパッドは、前記引出線パッドと電気的に接続して前記データ駆動集積回路と前記データ線とを連結する、請求項３に記載の液晶表示装置。
【請求項６】
前記ゲート線の一部はファンアウト部で屈曲している、請求項３に記載の液晶表示装置。
【請求項７】
前記データ線の一部はファンアウト部で屈曲している、請求項３に記載の液晶表示装置。
【請求項８】
駆動信号を発生する回路部と、
前記回路部と連結されており、前記駆動信号を外部に出力する複数の出力端子と、
前記回路部と前記各出力端子との間に連結されている複数の補償抵抗とを含み、
前記補償抵抗は、これと連結される前記出力端子の位置に応じて所定の規則性を有して増減する液晶表示装置用駆動回路。
【請求項９】
前記出力端子のうち両端のものと連結される前記補償抵抗が最も小さい抵抗値を有し、中央に行くほど補償抵抗値が大きくなる、請求項８に記載の液晶表示装置用駆動回路。
【発明の詳細な説明】
【０００１】
【発明の属する技術分野】
本発明は液晶表示装置に関する。なかでも、画面表示部とパッド部との間に配線とパッドとを連結するための連結部が形成されているファンアウト領域内の配線抵抗の偏差を補正抵抗により補正した液晶表示装置に関するものである。
【０００２】
【従来の技術】
液晶表示装置は、電極が形成されている薄膜トランジスタ基板とその対向基板、及びその間に注入されている液晶物質、偏光フィルム及び補償フィルムなどで構成されている。このような液晶表示装置は二つの基板の間に注入されている液晶物質に電極を利用して電界を印加し、この電界の強さを調節して透過する光の量を調節することによって画像を表示する。
【０００３】
前記薄膜トランジスタ基板は、液晶表示装置や有機ＥＬ表示装置などで各画素を独立的に駆動するための回路基板として用いられる。薄膜トランジスタ基板は、走査信号を伝達する走査信号配線（別名：ゲート配線）と、画像信号を伝達する画像信号線（別名：データ配線）が形成されており、ゲート配線及びデータ配線と連結されている薄膜トランジスタ、薄膜トランジスタと連結されている画素電極、ゲート配線を覆って絶縁するゲート絶縁膜、及び薄膜トランジスタとデータ配線を覆って絶縁する保護膜などからなる。薄膜トランジスタは、ゲート配線の一部であるゲート電極と、チャンネルを形成する半導体層、データ配線の一部であるソース電極とドレーン電極、及びゲート絶縁膜と保護膜などからなる。薄膜トランジスタは、ゲート配線を通じて伝達される走査信号に応じてデータ配線を通じて伝達される画像信号を画素電極に伝達または遮断するスイッチング素子である。
【０００４】
このような薄膜トランジスタ基板には、ゲート線とデータ線に駆動信号を印加するための駆動集積回路が連結される。駆動集積回路はパッドを介してゲート線またはデータ線に連結されるが、このパッドは駆動集積回路との連結のために狭い領域に密集して形成される。これに比べて、画面表示領域に位置するゲート線やデータ線の線間間隔は画素の大きさに応じて決められる間隔を有しなければならないので、パッドの間の間隔に比べて大きくなる。したがって、パッド部と画面表示領域の間には配線の線間間隔が次第に広くなる領域が存在するが、この部分をファンアウト領域という。ところが、このようなファンアウト領域によって配線の長さが互いに異なるようになり、したがって、抵抗値が配線ごとに異なるようになる。抵抗値の差は画像の差に現れ、画質を低下させる。
【０００５】
【発明が解決しようとする課題】
本発明が目的とする技術的課題は、液晶表示装置の配線間の抵抗値の差を減らすことである。
【０００６】
【課題を解決するための手段】
このような技術的課題を達成するために、駆動集積回路の出力端子に連結される配線が全て同じ断面構造を有するならば、ファンアウト領域において、補正するべき配線の長さと同一信号線群に属する最長配線の長さとの差に相当する抵抗値の補正抵抗を有する液晶表示装置を提供する。なお、断面構造が同一でない場合には、ファンアウト領域において、各配線抵抗が最大配線抵抗に揃えられるような抵抗値の補正抵抗を有する液晶表示装置を提供する。この補正抵抗は駆動集積回路構造の内部に含んでもよい。
【０００７】
具体的には、絶縁基板と、前記絶縁基板上に形成されており、外部回路との連結のためのパッドを含む複数のゲート線と、前記ゲート線と絶縁して交差しており、外部回路との連結のためのパッドを含む複数のデータ線と、前記ゲートパッドと連結されているゲート駆動回路と、前記データパッドと連結されているデータ駆動回路とを含み、前記ゲート駆動回路と前記データ駆動回路のうちの少なくとも一つは出力端子各々に連結されている複数の補正用抵抗を含んでおり、前記補正用抵抗のそれぞれは、ファンアウト領域において、これと連結されるゲート線またはデータ線の長さの偏差に相当する抵抗値を有する液晶表示装置を用意する。偏差に相当する抵抗値とは、ファンアウト領域におけるゲート線またはデータ線の最大抵抗値と、ファンアウト領域における各ゲート線またはデータ線の抵抗値との差である。
【０００８】
この時、前記駆動集積回路の両端の出力端子と連結される前記補正用抵抗が最も小さい値を有し、中央側に行くほど前記補正用抵抗の抵抗値が次第に大きくなるのが好ましい。また、前記ゲート駆動回路及び前記データ駆動回路の両方が、出力端子各々に連結されている複数の前記補正用抵抗を含んでいるのが好ましい。
【０００９】
また、前記ゲートパッドと接触する補助ゲートパッド、前記ゲート駆動集積回路を実装するフィルム、前記フィルムに形成されており、前記ゲート駆動集積回路の出力端子に連結されており、引出線パッドを有する引出線をさらに含み、前記補助ゲートパッドは、前記引出線パッドと電気的に接続して前記ゲート駆動集積回路と前記ゲート線とを連結するようにすることができる。また、前記データパッドと接触する補助データパッド、前記データ駆動集積回路を実装するフィルム、前記フィルムに形成されており、前記データ駆動集積回路の出力端子に連結されており、引出線パッドを有する引出線をさらに含み、前記補助データパッドは、前記引出線パッドと電気的に接続して前記データ駆動集積回路と前記データ線とを連結するようにすることができる。
また、前記ゲート線またはデータ線の一部はファンアウト部で屈曲していることができる。このようにゲート線やデータ線を形成すると、配線の抵抗をより精密に一定の値に調整することができる。
【００１０】
このような液晶表示装置に使用するために、駆動信号を発生する回路部、前記回路部と連結されており前記駆動信号を外部に出力する複数の出力端子、前記回路部と前記各出力端子の間に連結されている複数の補償抵抗を含み、前記補償抵抗は、これと連結される前記出力端子の位置に応じて所定の規則性を有して増減する液晶表示装置用駆動回路を用意する。
【００１１】
この時、前記出力端子のうち両端のものと連結される前記補償抵抗が最も小さい抵抗値を有し、中央に行くほど補償抵抗値が大きくなるのが好ましい。
【００１２】
【発明の実施の形態】
添付した図面を参考として、本発明の実施例について本発明の属する技術分野にて通常の知識を有する者が容易に実施できるように詳細に説明する。しかし、本発明は多様な相違した形態で実現することができ、ここで説明する実施例に限られるわけではない。なお、挿入する補正用抵抗値の決定方法を定量的に例示すると、ファンアウト領域において、ゲート信号線群の最長長さを１０ｃｍ、補正用抵抗を挿入するべきゲート信号線の長さを２ｃｍ、両線が同じ断面構造を有し、長さ１ｃｍ当たりの抵抗が５オームであれば、最長線の抵抗値が５０オーム、補正するべき線の抵抗値が１０オームとなり、最長線の抵抗値に揃えるためには、長さの差である８ｃｍに相当する４０オームの補正用抵抗を挿入する必要がある。また、断面構造の異同に拘わらず線群内の最大線抵抗に揃えることが望ましい。
【００１３】
図面において、多数の層及び領域を明確に表現するために厚さを拡大して示した。明細書全体において類似した部分については同一な図面符号を付けた。層、膜、領域、板などの部分が他の部分“上に”あるとする場合、これは他の部分の“真上に”ある場合だけでなく、その中間に他の部分がある場合も含む。反対に、ある部分が他の部分の“真上に”あるとする場合には、その中間に他の部分がないことを意味する。
【００１４】
次に、本発明の実施例による液晶表示装置について図面を参考として詳細に説明する。
【００１５】
以下、添付した図面を参考として本発明の実施例による液晶表示装置用基板について本発明の属する技術分野にて通常の知識を有する者が容易に実施できるように詳細に説明する。
【００１６】
まず、図１を参考として本発明による液晶表示装置の構造を説明する。
【００１７】
図１に示したように、本発明の実施例による液晶表示装置は、互いに対向する薄膜トランジスタ基板１及び色フィルター基板２と、これら基板１、２の間に注入されている液晶物質層（図示せず）を含む。
【００１８】
色フィルター基板２には、各々の画素領域に順次に配置されている赤、緑、青の色フィルター（図示せず）、画素領域を定義するブラックマトリックス（図示せず）及び基準電極（図示せず）が形成されている。
【００１９】
一方、本発明の実施例による薄膜トランジスタ基板１には、横方向に形成されており走査信号を伝達するゲート線１２１、ゲート線１２１と交差して画素領域を定義し、映像信号を伝達するデータ線１７１、マトリックス配列の画素領域に形成されており、ＩＴＯまたはＩＺＯなどのように透明な導電物質または反射度を有する導電物質からなる画素電極（図示せず）、ゲート線１２１とデータ線１７１とが交差する部分に形成されており、ゲート線１２１及びデータ線１７１と電気的に連結されて走査信号に応じて画素電極に伝達される映像信号を制御する薄膜トランジスタ（図示せず）が形成されている。この時、薄膜トランジスタ基板１は多数の配線１２１、１７１が互いに交差して定義する画素領域の集合からなり、画像が表示される画面表示部（Ｄ）と、ゲート線１２１及びデータ線１７１の内側端に各々連結されており、外部から走査信号またはデータ信号の伝達を受けてゲート線１２１とデータ線１７１に各々伝達する多数のゲートパッド（図示せず）及びデータパッド（図示せず）が各々形成されているパッド部と、パッド部と画面表示部（Ｄ）との間に位置して、配線１２１、１７１と密集されているパッドを連結するファンアウト部から構成される。前記では色フィルター、ブラックマトリックス及び基準電極が色フィルター基板２の上に形成されることを説明したが、これらは選択的に薄膜トランジスタ基板１の上に形成されることもできる。
【００２０】
一方、パッド部には、ＯＬＢ（ｏｕｔ　ｌｅａｄ　ｂｏｎｄｉｎｇ）を利用して実装されているゲート駆動集積回路４２０とデータ駆動集積回路４３０が連結されている。この時、駆動集積回路４２０、４３０の出力端子各々には抵抗が連結されている。抵抗は中央から両端部分に行くほどその大きさが小さくなる。これら抵抗は、ファンアウト部での配線の長さ差によって配線抵抗が変わることを補償するためのものである。以下ではこのような本発明による薄膜トランジスタ基板のファンアウト部についてももう少し詳細に見てみる。
【００２１】
本実施例では、ゲート駆動集積回路４２０とデータ集積回路４３０がＯＬＢを利用して薄膜トランジスタ基板上に直接実装されているＣＯＧ（ｃｈｉｐ　ｏｎ　ｇｌａｓｓ）形を例示しているが、駆動集積回路４２０、４３０が別途のフィルム上に実装されるＴＣＰ（ｔａｐｅ　ｃａｒｒｉｅｒ　ｐａｃｋａｇｅ）形またはＣＯＦ（ｃｈｉｐ　ｏｎ　ｆｉｌｍ）にも本発明が適用できることはもちろんである。
【００２２】
図２は、本発明の実施例による液晶表示装置用薄膜トランジスタ基板のファンアウト部の配線構造を示した配置図である。
【００２３】
駆動集積回路４２０、４３０の各出力端子と連結される配線群１２１、１７１の配線間距離がファンアウト部（ＧＦ、ＤＦ）を通過してから大きくなる。このような構造となるためには、ファンアウト部（ＧＦ、ＤＦ）での配線の長さが、駆動集積回路４２０、４３０の中央出力端子と連結される配線が最も短く、中央から遠くなるほど長くなる形態にならなければならない。したがって、配線群１２１、１７１の各配線抵抗も駆動集積回路４２０、４３０の中央出力端子と連結される配線が最も小さく、中央から遠くなるほど大きくなる。このような抵抗分布の配線群１２１、１７１の偏差を減少させるために、各配線の長さのばらつきから生じる抵抗値の差を補正できる値を有する抵抗を、駆動集積回路４２０、４３０の出力端子に連結する。
【００２４】
以下では、駆動集積回路４２０、４３０の出力端子構造について、ゲート駆動集積回路４２０とデータ駆動集積回路４３０とに区分して具体的に見てみる。
【００２５】
図３は本発明に第１実施例による液晶表示装置用ゲート駆動集積回路の出力端子を示した回路図であり、図４は本発明の第１実施例による液晶表示装置のファンアウト部での抵抗値の変化を示すグラフである。
【００２６】
図３を見れば、ゲート駆動集積回路４２０に２５６個の出力端子が形成されており、各出力端子には抵抗が挿入されている。抵抗値は、最も外側にあるＯＵＴ１とＯＵＴ２５６に連結されている抵抗値は０であり、中央に行くほど抵抗値が次第に大きくなり、正中央のＯＵＴ１２８とＯＵＴ１２９に連結されている抵抗は３３２Ωであって最も大きい値を有する。
【００２７】
図４を見れば、各出力端子の位置に応じて抵抗の値を調整することによる効果が分かる。つまり、ファンアウト部の配線の抵抗は中央、つまりＯＵＴ１２８とＯＵＴ１２９と連結される配線が最も小さく、両端、つまりＯＵＴ１とＯＵＴ２５６へ行くほど大きくなる。これに反し、ゲート駆動集積回路４２０の出力抵抗はＯＵＴ１とＯＵＴ２５６で最も小さく、ＯＵＴ１２８とＯＵＴ１２９へ行くほど大きくなる。したがって、ファンアウト部における配線抵抗と駆動集積回路の出力端子の抵抗とを合わせた総抵抗値は、中央と両端で配線の長さによる抵抗のばらつきがほとんどなく、一定の値を得ることができる。そのため、ファンアウト部における配線抵抗のばらつきに起因する画質の低下を防止することができる。
【００２８】
以上、ゲート駆動集積回路４２０の出力端子が２５６個である場合を例に上げて説明したが、出力端子の個数は液晶表示装置の仕様によって変動することができる。
【００２９】
図５は本発明の第２実施例による液晶表示装置用データ駆動集積回路の出力端子を示した回路図であり、図６は本発明の第２実施例による液晶表示装置のファンアウト部での抵抗値の変化を示すグラフである。
【００３０】
図５を見れば、データ駆動集積回路４３０に３８４個の出力端子が形成されており、各出力端子には抵抗が挿入されている。抵抗値は、最も外側にあるＯＵＴ１とＯＵＴ３８４に連結されている抵抗値は０であり、中央に行くほど抵抗値が次第に大きくなって、正中央のＯＵＴ１９２とＯＵＴ１９３に連結されている抵抗は１０６９Ωであって最も大きな値を有する。
【００３１】
図６は、各出力端子の位置に応じて抵抗の値を調整することによる効果を示している。つまり、ファンアウト部のデータ配線の抵抗は中央、つまりＯＵＴ１９２とＯＵＴ１９３と連結される配線が最も小さく、両端、つまりＯＵＴ１とＯＵＴ３８４へ行くほど大きくなる。これに反し、データ駆動集積回路４３０の出力抵抗はＯＵＴ１とＯＵＴ３８４で最も小さく、ＯＵＴ１９２とＯＵＴ１９３へ行くほど大きくなる。したがって、ファンアウト部における配線抵抗と駆動集積回路の出力端子の抵抗とを合わせた総抵抗値は、中央と両端で配線の長さによる抵抗のばらつきがほとんどなく、一定の値を得ることができる。そのため、ファンアウト部における配線抵抗のばらつきに起因する画質の低下を防止することができる。
【００３２】
以上、データ駆動集積回路４３０の出力端子が３８４個である場合を例に上げて説明したが、データ駆動集積回路４３０の出力端子の個数は液晶表示装置の仕様によって変動することができる。
【００３３】
以上の実施例では、駆動集積回路４２０、４３０の出力端子に所定の抵抗を連結する方法によってファンアウト部抵抗偏差を補償しているが、これと並行してファンアウト部での配線構造を変更してこれを補償することもできる。これを第３実施例として説明する。
【００３４】
図７は、本発明の第３実施例による液晶表示装置のファンアウト部を示した配置図である。
【００３５】
ゲート線１２１及びデータ線１７１のファンアウト部での長さの差による抵抗のばらつきを緩和するために、中央部配線が屈曲した形態に形成されている。屈曲は曲線形態１２１’、１７１’に形成することもでき、矩形波形態１２１”、１７１”に形成することもできる。ここに前記第１及び第２実施例で説明した駆動集積回路４２０、４３０を連結して、配線の抵抗をより精密に一定の値に維持することができる。
【００３６】
図８は、本発明の第１乃至第３実施例による液晶表示装置の駆動集積回路と薄膜トランジスタ基板連結部を示す配置図である。図９は、本発明の第１及び第３実施例による液晶表示装置の駆動集積回路と薄膜トランジスタ基板連結部を示す断面図であって、図８のＩＸ−ＩＸ’線による断面図である。図１０は、本発明の第２及び第３実施例による液晶表示装置の駆動集積回路と薄膜トランジスタ基板連結部を示す断面図であって、図８のＩＸ−ＩＸ’線による断面図である。
【００３７】
まず、ゲートパッド部分を見てみる。
【００３８】
図９はゲートパッド１２５部の断面構造であって、絶縁基板１１０の上にゲートパッド１２５が形成されており、ゲートパッド１２５の上にゲート絶縁膜１４０が形成されている。ゲート絶縁膜１４０の上には保護膜１８０が形成されており、保護膜１８０とゲート絶縁膜１４０には接触孔１８２が形成されている。保護膜１８０の上には補助ゲートパッド９５が形成されており、補助ゲートパッド９５は接触孔１８２を介してゲートパッド１２５と連結されている。補助ゲートパッド９５の上には異方性導電フィルム３００が形成されており、異方性導電フィルム３００の上にはゲート駆動集積回路の出力端子パッド４２２が位置している。補助ゲートパッド９５とゲート駆動集積回路の出力端子パッド４２２は異方性導電フィルム３００を介して電気的に連結されている。ゲート駆動集積回路の出力端子パッド４２２は駆動集積回路の出力端子引出線４２１に連結されている。これら出力端子パッド４２２と出力端子引出線４２１とは、ＦＰＣ（ｆｌｅｘｉｂｌｅｐｒｉｎｔｅｄ　ｃｉｒｃｕｉｔ）などのフィルム４０５に形成されている。
【００３９】
次に、データパッド部を見てみる。
【００４０】
図１０はデータパッド１７９部の断面構造であって、絶縁基板１１０の上にゲート絶縁膜１４０が形成されており、ゲート絶縁膜１４０の上にデータパッド１７９が形成されている。データパッド１７９の上に保護膜１８０が形成されており、保護膜１８０には接触孔１８３が形成されている。保護膜１８０の上には補助データパッド９７が形成されており、補助データパッド９７は、接触孔１８３を介してデータパッド１７９と連結されている。補助データパッド９７の上には異方性導電フィルム３００が形成されており、異方性導電フィルム３００の上にはデータ駆動集積回路の出力端子パッド５２２が位置している。補助データパッド９７とデータ駆動集積回路の出力端子パッド５２２は異方性導電フィルム３００を介して電気的に連結されている。データ駆動集積回路の出力端子パッド５２２は駆動集積回路の出力端子引出線５２１に連結されており、これら出力端子パッド５２２と出力端子引出線５２１はＦＰＣなどのフィルム５０５に形成されている。
【００４１】
以上、本発明の好ましい実施例について詳細に説明したが、本発明の権利範囲はこれに限定されるわけではなく、前記請求の範囲で定義している本発明の基本概念を利用した当業者のいろいろな変形及び改良形態もまた本発明の権利範囲に属するものである。
【００４２】
【発明の効果】
以上で説明したように、本発明では、薄膜トランジスタ基板のファンアウト部での配線の長さの不均一によって生じる抵抗値の差を、駆動集積回路の出力端子内部または外部に抵抗偏差補償用抵抗を連結することによって補償するので、画質を向上させることができる。
【図面の簡単な説明】
【図１】本発明の実施例による液晶表示装置の構造を概略的に示した配置図である。
【図２】本発明の実施例による液晶表示装置用薄膜トランジスタ基板のファンアウト部の配線構造を示した配置図である。
【図３】本発明の第１実施例による液晶表示装置用ゲート駆動集積回路の出力端子を示した回路図である。
【図４】本発明の第１実施例による液晶表示装置のファンアウト部での抵抗値の変化を示すグラフである。
【図５】本発明の第２実施例による液晶表示装置用データ駆動集積回路の出力端子を示した回路図である。
【図６】本発明の第２実施例による液晶表示装置のファンアウト部での抵抗値の変化を示すグラフである。
【図７】本発明の第３実施例による液晶表示装置のファンアウト部を示した配置図である。
【図８】本発明の第１乃至第３実施例による液晶表示装置の駆動集積回路と薄膜トランジスタ基板連結部を示す配置図である。
【図９】本発明の第１及び第３実施例による液晶表示装置の駆動集積回路と薄膜トランジスタ基板連結部を示す断面図であって、図８のＩＸ−ＩＸ’線による断面図である。
【図１０】本発明の第２及び第３実施例による液晶表示装置の駆動集積回路と薄膜トランジスタ基板連結部を示す断面図であって、図８のＩＸ−ＩＸ’線による断面図である。
【符号の説明】
１　薄膜トラジスタ基板
２　色フィルター基板
９５、９７　補助ゲートパッド
１１０　絶縁基板
１２１　ゲート線
１２５　ゲートパッド
１４０　ゲート絶縁膜
１７１　データ線
１７９　データパッド
１８０　保護膜
１８２、１８３　接触孔
３００　異方性導電フィルム
４０５、５０５　フィルム
４２０　ゲート駆動集積回路
４２１、５２１　出力端子引出線
４２２、５２２　出力端子パッド
４３０　データ駆動集積回路
【図１】
2004070317.tif 000003
【図２】
2004070317.tif 000004
【図３】
2004070317.tif 000005
【図４】
2004070317.tif 000006
【図５】
2004070317.tif 000007
【図６】
2004070317.tif 000008
【図７】
2004070317.tif 000009
【図８】
2004070317.tif 000010
【図９】
2004070317.tif 000011
【図１０】
2004070317.tif 000012